(57)【要約】【課題】利用者の誤操作により利用者による処理の準備の状況に関わりの無い処理が実行されることを防ぐ。【解決手段】表示部は、予め設定された条件での処理の実行を指示する操作に用いられる少なくとも１の即時実行の簡単操作画像１２３を画面上に表示する。準備検知部は、利用者が行った処理の準備を検知する。無効部は、表示部に表示された少なくとも１の即時実行の簡単操作画像１２３のうち、準備検知部の検知結果に対応する対象処理とは異なる非対象処理の実行を指示する操作に用いられる即時実行の簡単操作画像１２３を無効にする。【選択図】図５
2020047100.tif 000002
【特許請求の範囲】
【請求項１】
予め設定された条件での処理の実行を指示する操作に用いられる少なくとも１の画像を画面上に表示する表示部と、
利用者が行った前記処理の準備を検知する準備検知部と、
前記表示部に表示された前記少なくとも１の画像のうち、前記準備検知部の検知結果に対応する対象処理とは異なる非対象処理の実行を指示する操作に用いられる非対象画像を無効にする無効部と
を備える表示装置。
【請求項２】
前記無効部は、前記非対象画像を用いた操作を無効にする
請求項１に記載の表示装置。
【請求項３】
前記少なくとも１の画像は、前記対象処理の実行を指示する操作に用いられる対象画像と、前記非対象画像とを含み、
前記無効部は、前記非対象画像を前記対象画像と区別して表示させる
請求項２に記載の表示装置。
【請求項４】
前記無効部は、前記非対象画像が操作を受け付けない状態になるように、前記非対象画像の表示を制御する
請求項１に記載の表示装置。
【請求項５】
前記無効部は、前記非対象画像を非表示にする旨を表示した後に、前記非対象画像を非表示にする
請求項４に記載の表示装置。
【請求項６】
前記少なくとも１の画像は、前記対象処理の実行を指示する操作に用いられる対象画像と、前記非対象画像とを含み、
前記無効部は、前記利用者の操作により前記画面が移動されている間、前記対象画像及び前記非対象画像の操作を無効にする
請求項１から５のいずれか１項に記載の表示装置。
【請求項７】
前記少なくとも１の画像は、前記対象処理の実行を指示する操作に用いられる対象画像と、前記非対象画像とを含み、
前記対象画像を用いた操作が行われるまでの前記利用者の操作の状況を検知する操作検知部と、
前記操作検知部が検知した前記操作の状況によって、前記表示部に表示された前記少なくとも１の画像のうち前記対象画像を用いた前記操作に応じて、前記対象処理が実行されるまでの手順を異ならせる処理制御部とをさらに備える
請求項１から６のいずれか１項に記載の表示装置。
【請求項８】
前記操作の状況は、前記準備検知部が前記準備を検知してから前記対象画像を用いた前記操作が行われるまでの経過時間又は前記画面を移動する操作の回数であり、
前記処理制御部は、前記経過時間又は前記操作の回数が定められた条件を満たす場合には、前記処理の開始を指示する他の操作を受け付けてから前記対象処理を開始させる
請求項７に記載の表示装置。
【請求項９】
コンピュータに、
予め設定された条件での処理の実行を指示する操作に用いられる少なくとも１の画像を画面上に表示するステップと、
利用者が行った前記処理の準備を検知するステップと、
前記画面上に表示された前記少なくとも１の画像のうち、前記準備の検知結果に対応する対象処理とは異なる非対象処理の実行を指示する操作に用いられる非対象画像を無効にするステップと
を実行させるためのプログラム。
【発明の詳細な説明】
【技術分野】
【０００１】
本発明は、表示装置及びプログラムに関する。
【背景技術】
【０００２】
処理装置のユーザインターフェースにおいて、状況に応じて利用者の操作を制限する技術が知られている。例えば特許文献１には、操作が行われていない状態で一定時間以上経過すると、誤操作であると判断し、削除ショートカットキーを無効にする技術が記載されている。
【先行技術文献】
【特許文献】
【０００３】
【特許文献１】特開２０１０−９８５８９号公報
【発明の概要】
【発明が解決しようとする課題】
【０００４】
処理装置が実行する処理の中には、コピー処理、プリント処理、スキャン処理、ファクシミリ処理のように、処理の設定を要するものがある。このような処理を実行する処理装置を操作する方法の一つとして、簡単な操作で設定された条件での処理の実行が可能な操作画像（以下、「簡単操作画像」という。）を表示することが提案されている。この簡単操作画像には、押下されると利用者に処理を開始してもよいかを確認してから処理を開始する簡単操作画像（以下、「非即時開始の簡単操作画像」という。）と、押下されると利用者に処理を開始してもよいかを確認することなく処理を開始する簡単操作画像（以下、「即時開始の簡単操作画像」という。）とが含まれる。即時開始の簡単操作画像は、非即時開始の簡単操作画像や通常の操作画像と異なり、押下されるとそのまま処理が開始される。そのため、利用者が画面上で誤って即時開始の簡単操作画像に触れてしまうと、利用者の意図しない処理が実行されてしまうことがある。
本発明は、利用者の誤操作により利用者による処理の準備の状況に関わりの無い処理が実行されることを防ぐことを目的とする。
【課題を解決するための手段】
【０００５】
請求項１に係る発明は、予め設定された条件での処理の実行を指示する操作に用いられる少なくとも１の画像を画面上に表示する表示部と、利用者が行った前記処理の準備を検知する準備検知部と、前記表示部に表示された前記少なくとも１の画像のうち、前記準備検知部の検知結果に対応する対象処理とは異なる非対象処理の実行を指示する操作に用いられる非対象画像を無効にする無効部とを備える表示装置である。
【０００６】
請求項２に係る発明は、請求項１に記載の表示装置において、前記無効部は、前記非対象画像を用いた操作を無効にする。
【０００７】
請求項３に係る発明は、請求項２に記載の表示装置において、前記少なくとも１の画像は、前記対象処理の実行を指示する操作に用いられる対象画像と、前記非対象画像とを含み、前記無効部は、前記非対象画像を前記対象画像と区別して表示させる。
【０００８】
請求項４に係る発明は、請求項１に記載の表示装置において、前記無効部は、前記非対象画像が操作を受け付けない状態になるように、前記非対象画像の表示を制御する。
【０００９】
請求項５に係る発明は、請求項４に記載の表示装置において、前記無効部は、前記非対象画像を非表示にする旨を表示した後に、前記非対象画像を非表示にする。
【００１０】
請求項６に係る発明は、請求項１から５のいずれか１項に記載の表示装置において、前記少なくとも１の画像は、前記対象処理の実行を指示する操作に用いられる対象画像と、前記非対象画像とを含み、前記無効部は、前記利用者の操作により前記画面が移動されている間、前記対象画像及び前記非対象画像の操作を無効にする。
【００１１】
請求項７に係る発明は、請求項１から６のいずれか１項に記載の表示装置において、前記少なくとも１の画像は、前記対象処理の実行を指示する操作に用いられる対象画像と、前記非対象画像とを含み、前記対象画像を用いた操作が行われるまでの前記利用者の操作の状況を検知する操作検知部と、前記操作検知部が検知した前記操作の状況によって、前記表示部に表示された前記少なくとも１の画像のうち前記対象画像を用いた前記操作に応じて、前記対象処理が実行されるまでの手順を異ならせる処理制御部とをさらに備える。
【００１２】
請求項８に係る発明は、請求項７に記載の表示装置において、前記操作の状況は、前記準備検知部が前記準備を検知してから前記対象画像を用いた前記操作が行われるまでの経過時間又は前記画面を移動する操作の回数であり、前記処理制御部は、前記経過時間又は前記操作の回数が定められた条件を満たす場合には、前記処理の開始を指示する他の操作を受け付けてから前記対象処理を開始させる。
【００１３】
請求項９に係る発明は、コンピュータに、予め設定された条件での処理の実行を指示する操作に用いられる少なくとも１の画像を画面上に表示するステップと、利用者が行った前記処理の準備を検知するステップと、前記画面上に表示された前記少なくとも１の画像のうち、前記準備の検知結果に対応する対象処理とは異なる非対象処理の実行を指示する操作に用いられる非対象画像を無効にするステップとを実行させるためのプログラムである。
【発明の効果】
【００１４】
請求項１に係る発明によれば、利用者の誤操作により利用者による処理の準備の状況に関わりの無い処理が実行されることが防止される。
請求項２に係る発明によれば、利用者が誤って非対象画像を用いた操作を行った場合にも、その非対象画像に対応する処理が実行されるのが防止される。
請求項３に係る発明によれば、利用者に操作が無効となる非対象画像が認識される。
請求項４に係る発明によれば、利用者が誤って非対象画像を用いた操作を行うのが防止される。
請求項５に係る発明によれば、利用者に非表示になる非対象画像が認識される。
請求項６に係る発明によれば、利用者が画面を移動する操作を行っている間に、誤って対象画像又は非対象画像を用いた操作を行った場合にも、対応する処理が実行されるのが防止される。
請求項７に係る発明によれば、対象画像を用いた操作であっても、利用者が迷って行った操作である可能性がある場合には、通常とは異なる手順で対象処理が実行される。
請求項８に係る発明によれば、対象画像を用いた操作であっても、利用者が迷って行った操作である可能性がある場合には、処理を開始してもよいかを利用者に確認してから処理が開始される。
請求項９に係る発明によれば、利用者の誤操作により利用者による処理の準備の状況に関わりの無い処理が実行されることが防止される。
【図面の簡単な説明】
【００１５】
【図１】第１実施形態に係る画像処理装置１１０のハードウェア構成の一例を示す図である。
【図２】表示部１１５に表示されるメニュー画面１２０一例を示す図である。
【図３】画像処理装置１１０の機能構成の一例を示す図である。
【図４】第１実施形態に係る画像処理装置１１０の動作の一例を示すフローチャートである。
【図５】即時開始の簡単操作画像１２３の表示の一例を示す図である。
【図６】第２実施形態に係る画像処理装置１１０の動作の一例を示すフローチャートである。
【図７】第２実施形態に係るメニュー画面１２０の一例を示す図である。
【図８】変形例に係る画像処理装置１１０の機能構成の一例を示す図である。
【図９】変形例に係る画像処理装置１１０の動作の一例を示すフローチャートである。
【発明を実施するための形態】
【００１６】
１．第１実施形態
１．１．構成
図１は、第１実施形態に係る画像処理装置１１０のハードウェア構成の一例を示す図である。画像処理装置１１０は、プリント機能、コピー機能、スキャン機能、ファクシミリ機能等の複数の機能を有する装置である。
【００１７】
画像処理装置１１０は、制御部１１１と、記憶部１１２と、通信部１１３と、操作部１１４と、表示部１１５と、画像読取部１１６と、画像処理部１１７と、画像形成部１１８とを備える。制御部１１１は、画像処理装置１１０の各部を制御する。制御部１１１には、例えばＣＰＵ（Central Processing Unit）等のプロセッサと、ＲＯＭ（Read Only Memory）やＲＡＭ（Random Access Memory）等のメモリとが用いられてもよい。記憶部１１２は、各種のデータ及びプログラムを記憶する。記憶部１１２には、例えばハードディスクドライブが用いられてよい。通信部１１３は、通信回線に接続される通信インターフェースである。通信部１１３は、通信回線を介して通信を行う。操作部１１４は、利用者の操作による各種の情報の入力に用いられる。操作部１１４には、例えば操作キー及びタッチパネルが用いられてもよい。表示部１１５は、各種の画像を表示する。表示部１１５には、例えば液晶ディスプレイが用いられてもよい。
【００１８】
画像読取部１１６は、原稿の画像を読み取って画像データに変換する。画像読取部１１６には、例えばイメージスキャナが用いられてもよい。画像処理部１１７は、通信部１１３又は画像読取部１１６から入力された画像データに対して色補正や諧調補正等の各種の画像処理を施す。画像形成部１１８は、画像データに応じた画像を用紙等の記録媒体上に形成する。画像形成部１１８には、例えば電子写真方式のプリンターが用いられてもよい。
【００１９】
プリント処理は、画像データに応じた画像を媒体上に形成する処理である。プリント処理は、通信部１１３、画像処理部１１７、及び画像形成部１１８の協働により行われる。コピー処理は、原稿の画像を媒体上に複写する処理である。コピー処理は、画像読取部１１６、画像処理部１１７、及び画像形成部１１８の協働により行われる。スキャン処理は、原稿の画像を読み取って画像データに変換する処理である。スキャン処理は、画像読取部１１６及び画像処理部１１７の協働により行われる。ファクシミリ処理は、原稿の画像を示す画像データを送信する処理である。ファクシミリ処理は、画像読取部１１６、画像処理部１１７、及び通信部１１３の協働により行われる。なお、以下の説明では、これらの処理を行う通信部１１３、画像読取部１１６、画像処理部１１７、及び画像形成部１１８を総称して、「処理部１１９」という場合がある。
【００２０】
図２は、表示部１１５に表示されるメニュー画面１２０一例を示す図である。メニュー画面１２０は、画像処理装置１１０が実行する複数の処理の中から利用者が所望の処理を選択するのに用いられる。メニュー画面１２０は、例えば利用者が画像処理装置１１０にログインしたことに応じて表示されてもよい。画像処理装置１１０が実行する複数の処理には、例えば上述したプリント処理と、コピー処理と、スキャン処理と、ファクシミリ処理とが含まれる。また、プリント処理には、ＵＳＢ（Universal Serial Bus）等の外付けのフラッシュメモリから読み出した画像データに応じた画像を形成する処理（以下、「メモリ−プリント処理」という。）が含まれてもよい。スキャン処理には、原稿から読み取った画像を画像データに変換してＵＳＢ等の外付けのフラッシュメモリに保存する処理（以下、「スキャン−メモリ処理」という。）が含まれてもよい。さらに、これらの処理は、課金される処理と課金されない処理とに分けられてもよい。さらに、これらの処理は、ユーザ認証を行わないと実行が許可されない処理とユーザ認証を行わなくても実行が許可される処理とに分けられてもよい。
【００２１】
メニュー画面１２０には、通常の操作画像１２１と、非即時開始の簡単操作画像１２２と、即時開始の簡単操作画像１２３とが含まれる。なお、図２に示す通常の操作画像１２１、非即時開始の簡単操作画像１２２、及び即時開始の簡単操作画像１２３の数は、例示であり、これに限定されない。通常の操作画像１２１、非即時開始の簡単操作画像１２２、及び即時開始の簡単操作画像１２３の数は、それぞれ、単数であってもよいし、複数であってもよい。また、以下の説明では、通常の操作画像１２１、非即時開始の簡単操作画像１２２、即時開始の簡単操作画像１２３を総称して、「操作画像」という場合がある。また、非即時開始の簡単操作画像１２２、即時開始の簡単操作画像１２３を総称して、「簡単操作画像」という場合がある。
【００２２】
通常の操作画像１２１は、処理の実行を指示する操作に用いられる画像である。通常の操作画像１２１が押下されると、対応する処理の条件の設定に用いられる設定画面が表示される。この設定画面において処理の条件を設定する操作が行われた後、処理の開始を指示する操作が行われると、設定された条件で処理が行われる。すなわち、通常の操作画像１２１が用いられる場合には、利用者は通常の操作画像１２１を押下した後、処理を実行するために、処理の条件を設定する操作と処理の開始を指示する操作とを行うことが要求される。
【００２３】
非即時開始の簡単操作画像１２２は、予め設定された条件での処理の実行を指示する操作に用いられる画像である。非即時開始の簡単操作画像１２２を用いると、通常の操作画像１２１を用いる場合よりも簡単な操作で処理が実行される。この簡単な操作とは、例えば操作の手順が少ないことを意味する。具体的には、非即時開始の簡単操作画像１２２には、予め設定された処理の条件が対応付けられている。非即時開始の簡単操作画像１２２が押下されると、処理を開始してもよいかを確認する確認画面が表示される。このとき、上述した設定画面は表示されない。この確認画面において処理の開始を指示する操作が行われると、設定された条件で処理が行われる。すなわち、非即時開始の簡単操作画像１２２が用いられる場合には、利用者は非即時開始の簡単操作画像１２２を押下した後、処理を実行するために、処理の開始を指示する操作を行うことが要求される。この場合、処理の条件を設定する操作は要求されないため、通常の操作画像１２１を用いる場合に比べて、手順の少ない操作で処理が実行される。
【００２４】
即時開始の簡単操作画像１２３は、予め設定された条件での処理の実行を指示する操作に用いられる画像である。即時開始の簡単操作画像１２３を用いると、通常の操作画像１２１を用いる場合及び非即時開始の簡単操作画像１２２を用いる場合よりも簡単な操作で処理が実行される。具体的には、即時開始の簡単操作画像１２３には、予め設定された処理の条件が対応付けられている。即時開始の簡単操作画像１２３が押下されると、設定された条件で処理が行われる。このとき、上述した設定画面及び確認画面は表示されない。すなわち、即時開始の簡単操作画像１２３が用いられる場合には、利用者は即時開始の簡単操作画像１２３を押下した後、処理を実行するために、何の操作も要求されない。したがって、通常の操作画像１２１を用いる場合及び非即時開始の簡単操作画像１２２を用いる場合に比べて、手順の少ない操作で処理が実行される。
【００２５】
簡単操作画像は、利用者により作成されてもよい。この場合、簡単操作画像には、利用者の操作により、所望の処理とその処理の条件とが対応付けられる。例えば、利用者が「０３−ｘｘｘｘ−ｘｘｘｘ」というファクシミリ番号宛に頻繁にファクシミリを送信する場合、ファクシミリ処理とファクシミリの送信先である「０３−ｘｘｘｘ−ｘｘｘｘ」というファクシミリ番号とが対応付けられた簡単操作画像が作成されてもよい。ただし、簡単操作画像に対応付けられる処理の条件は、同一の処理が対応付けられた通常の操作画像１２１が押下されたときに設定し得る処理の条件に包含されるものに限られる。すなわち、これらの処理の条件は、包含関係を有する。例えば利用者がファクシミリ処理において海外の送信先にファクシミリを送信する権限を有していない場合、この利用者は、海外の送信先が対応付けられた簡単操作画像を作成することはできない。
【００２６】
図３は、画像処理装置１１０の機能構成の一例を示す図である。画像処理装置１１０は、準備検知部１３１と、無効部１３２とを有する。これらの機能は、メモリに記憶されたプログラムと、このプログラムを実行するプロセッサとの協働により、プロセッサが演算を行い又は通信部１１３による通信を制御することにより実現される。
【００２７】
準備検知部１３１は、利用者が行った処理の準備を検知する。この処理の準備は、例えば画像処理装置１１０に対する利用者の操作又は行動により行われてもよい。例えば処理の準備は、利用者の操作又は行動により処理に要する物又はデータを画像処理装置１１０に供給することであってもよい。例えば処理の準備には、原稿の設置、外付けのフラッシュメモリの挿入、金銭の投入、ユーザ認証に用いられる情報の入力又はこの情報を記録した記録媒体の読み取り、プリント指示の入力、及びファクシミリデータの格納のうち少なくともいずれかが含まれてもよい。なお、このファクシミリデータは、ファクシミリ処理で送信されるデータである。この記録媒体は、例えばＩＣ（integrated circuit）カードであってもよい。準備検知部１３１は、検知対象によって異なるハードウェアにより実現されてもよい。このハードウェアには、画像処理装置１１０が備える各種のセンサが含まれてもよい。例えば原稿の設置を検知する場合、準備検知部１３１は、画像読取部１１６に設けられた原稿を検知するセンサにより実現されてもよい。金銭の投入を検知する場合、準備検知部１３１は、課金装置に設けられた金銭を検知するセンサにより実現されてもよい。
【００２８】
無効部１３２は、メニュー画面１２０に含まれる複数の即時開始の簡単操作画像１２３のうち、準備検知部１３１の検知結果に対応する対象処理とは異なる非対象処理の実行を指示する操作に用いられる即時開始の簡単操作画像１２３を無効にする。対象処理は、例えば或る処理の準備が検知された場合には、その準備に応じて行われると考えられる処理である。また、対象処理は、例えば或る処理の準備が検知されなかった場合には、その準備に応じて行われると考えられる処理以外の処理である。すなわち、対象処理は、利用者により行われた処理の準備の状況に関わる処理である。非対象処理は、例えば画像処理装置１１０が実行し得る処理のうち、対象処理以外の処理である。すなわち、非対象処理は、利用者により行われた処理の準備の状況と無関係の処理である。即時開始の簡単操作画像１２３の無効には、即時開始の簡単操作画像１２３を用いた操作を無効にすることと、即時開始の簡単操作画像１２３が操作を受け付けない状態になるように、即時開始の簡単操作画像１２３の表示を制御することとが含まれる。第１実施形態では、即時開始の簡単操作画像１２３を用いた操作が無効にされる。この「操作が無効」とは、操作が行われても、その操作に応じて処理が実行されないことをいう。
【００２９】
１．２．動作
図４は、第１実施形態に係る画像処理装置１１０の動作の一例を示すフローチャートである。この動作は、表示部１１５にメニュー画面１２０が表示されている間に、利用者が行った処理の準備を行ったことを契機として開始される。ここでは、利用者が画像読取部１１６に原稿を設置した場合を想定する。
【００３０】
準備検知部１３１は、画像読取部１１６に設置された原稿を検知する（ステップＳ１１）。原稿が検知された後、利用者によりメニュー画面１２０上の操作画像を押下する操作が行われると、無効部１３２は、押下された操作画像が、通常の操作画像１２１、非即時開始の簡単操作画像１２２、及び即時開始の簡単操作画像１２３のいずれであるかを判定する（ステップＳ１２）。
【００３１】
通常の操作画像１２１が押下された場合（ステップＳ１２の判定が「通常の操作画像」）、処理部１１９は、処理の条件を設定する操作及び処理の開始を指示する操作を受け付けた後、設定された条件で処理を実行する（ステップＳ１３）。具体的には、例えばコピー処理に対応する通常の操作画像１２１が押下されると、表示部１１５にコピー処理の条件の設定に用いられる設定画面が表示される。設定画面が表示されると、利用者は、操作部１１４を用いて、コピー処理の条件を設定する操作を行う。次に、利用者は、操作部１１４を用いてコピー処理の開始を指示する操作を行う。例えば操作部１１４に処理の開始を指示する操作に用いられる開始ボタンが含まれる場合、この操作は開始ボタンの押下であってもよい。この操作が行われると、画像読取部１１６、画像処理部１１７、及び画像形成部１１８にコピー処理を実行するよう制御する制御信号が供給される。画像読取部１１６、画像処理部１１７、及び画像形成部１１８は、この制御信号に従って、設定画面において設定された処理の条件でコピー処理を行う。
【００３２】
非即時開始の簡単操作画像１２２が押下された場合（ステップＳ１２の判定が「非即時開始の簡単操作画像」）、処理部１１９は、処理の開始を指示する操作を受け付けた後、設定された条件で処理を実行する（ステップＳ１４）。具体的には、例えばコピー処理に対応する非即時開始の簡単操作画像１２２が押下されると、表示部１１５にコピー処理を開始してもよいかを確認する確認画面が表示される。利用者は、操作部１１４を用いてコピー処理の開始を指示する操作を行う。例えばコピー処理の開始を指示する操作を受け付ける開始ボタンが確認画面に含まれる場合、この操作は開始ボタンの押下であってもよい。この操作が行われると、画像読取部１１６、画像処理部１１７、及び画像形成部１１８にコピー処理を実行するよう制御する制御信号が供給される。画像読取部１１６、画像処理部１１７、及び画像形成部１１８は、この制御信号に従って、押下された非即時開始の簡単操作画像１２２に対応付けられた処理の条件でコピー処理を行う。
【００３３】
即時開始の簡単操作画像１２３が押下された場合（ステップＳ１２の判定が「即時開始の簡単操作画像」）、無効部１３２は、この即時開始の簡単操作画像１２３に対応する処理が原稿を必要とするか否かを判定する（ステップＳ１５）。原稿を必要とする対象処理は、例えばスキャン処理、コピー処理、ファクシミリ処理である。一方、原稿を必要としない非対象処理は、例えばプリント処理である。このプリント処理には、メモリ−プリント処理が含まれる。例えば即時開始の簡単操作画像１２３に対応する処理がスキャン処理である場合には、ステップＳ１５の判定がＹＥＳになる。この場合、処理部１１９は、利用者の更なる操作を待たずに、設定された条件で処理を実行する（ステップＳ１６）。この場合、画像読取部１１６及び画像処理部１１７に、スキャン処理を実行するよう制御する制御信号が供給される。画像読取部１１６及び画像処理部１１７は、この制御信号に従って、押下された即時開始の簡単操作画像１２３に対応付けられた処理の条件でスキャン処理を行う。
【００３４】
一方、例えば即時開始の簡単操作画像１２３に対応する処理がメモリ−プリント処理である場合、メモリ−プリント処理は原稿を必要としないため、ステップＳ１５の判定がＮＯになる。この場合、無効部１３２は、即時開始の簡単操作画像１２３を押下した操作を無効にする（ステップＳ１７）。具体的には、無効部１３２は、即時開始の簡単操作画像１２３の押下に応じて、その即時開始の簡単操作画像１２３に対応するメモリ−プリント処理を実行するよう制御する制御信号が供給されないようにする。これにより、即時開始の簡単操作画像１２３が押下されても、その即時開始の簡単操作画像１２３に対応するメモリ−プリント処理は実行されない。
【００３５】
これは、利用者が原稿を設置した場合に、原稿を必要としない非対象処理に対応する操作画像を用いた操作が行われたときは、その操作は誤操作である可能性がある。通常の操作画像１２１又は非即時開始の簡単操作画像１２２が押下された場合には、利用者が更なる操作を行わないと処理が実行されないため、処理が実行される前に利用者が誤操作に気付き、処理を取り消す可能性がある。しかし、即時開始の簡単操作画像１２３が押下された場合には、利用者の更なる操作を待たずに処理が実行されるため、利用者が意図しない処理がそのまま実行されてしまう恐れがある。そのため、このような場合には、即時開始の簡単操作画像１２３が押下されても、その即時開始の簡単操作画像１２３に対応する処理が実行されないようにすることで、利用者の意図しない処理が実行されることが防止される。
【００３６】
また、上述したステップＳ１５の判定がＮＯである場合、メモリ−プリント処理に対応する即時開始の簡単操作画像１２３が、他の即時開始の簡単操作画像１２３と区別して表示されてもよい。例えば図５に示されるように、メモリ−プリント処理に対応する即時開始の簡単操作画像１２３の色が変更されてもよい。他の例において、メモリ−プリント処理に対応する即時開始の簡単操作画像１２３の形、大きさ、又は表示の仕方（点滅等）が変更されてもよいし、この即時開始の簡単操作画像１２３に付加画像が付加されてもよい。
【００３７】
なお、上述した第１実施形態では、本発明に係る表示装置、対象画像、非対象画像として、それぞれ画像処理装置１１０、スキャン処理に対応する即時開始の簡単操作画像１２３、メモリ−プリント処理に対応する即時開始の簡単操作画像１２３が用いられている。
【００３８】
以上説明した第１実施形態によれば、利用者による処理の準備の状況と無関係の非対象処理に対応する即時開始の簡単操作画像１２３の操作が無効になるため、利用者が誤ってこの即時開始の簡単操作画像１２３を用いた操作を行っても、非対象処理が実行されることはない。すなわち、利用者の誤操作により非対象処理が実行されることが防止される。また、操作が無効となる即時開始の簡単操作画像１２３が他の即時開始の簡単操作画像１２３と区別して表示される場合には、利用者に操作が無効となる即時開始の簡単操作画像１２３が認識される。
【００３９】
２．第２実施形態
上述した第１実施形態では、利用者により押下された即時開始の簡単操作画像１２３に非対象処理に対応付けられている場合には、その即時開始の簡単操作画像１２３を用いた操作が無効になる。これに対し、第２実施形態では、このような場合に、この即時開始の簡単操作画像１２３が操作を受け付けない状態になるように、即時開始の簡単操作画像１２３の表示が制御される。この表示を制御する方法は、非表示であってもよいし、即時開始の簡単操作画像１２３を押下できない状態で表示してもよい。この押下できない状態は、例えばいわゆるグレーアウトの状態であってもよい。なお、第２実施形態に係る画像処理装置１１０の構成は、第１実施形態において説明した画像処理装置１１０の構成と同様であるため、その説明を省略する。
【００４０】
図６は、第２実施形態に係る画像処理装置１１０の動作の一例を示すフローチャートである。この動作は、表示部１１５にメニュー画面１２０が表示されている間に、利用者が処理の準備を行ったことを契機として開始される。ここでは、利用者が画像読取部１１６に原稿を設置した場合を想定する。
【００４１】
準備検知部１３１は、画像読取部１１６に設置された原稿を検知する（ステップＳ２１）。原稿が検知されると、無効部１３２は、原稿を必要としない非対象処理に対応する即時開始の簡単操作画像１２３がメニュー画面１２０に含まれるか否かを判定する（ステップＳ２２）。メニュー画面１２０にこのような即時開始の簡単操作画像１２３が含まれない場合（ステップＳ２２の判定がＮＯ）、メニュー画面１２０に含まれる全ての操作画像が表示される（ステップＳ２３）。一方、例えばメニュー画面１２０に原稿を必要としないスキャン‐メモリ処理に対応する即時開始の簡単操作画像１２３が含まれる場合、ステップＳ２２の判定がＹＥＳになる。この場合、無効部１３２は、この即時開始の簡単操作画像１２３を非表示にする（ステップＳ２４）。
【００４２】
図７は、第２実施形態に係るメニュー画面１２０の一例を示す図である。この例では、スキャン−メモリ処理に対応する即時開始の簡単操作画像１２３が非表示になっている。上述したように、利用者が原稿を設置した場合に、原稿を必要としない処理に対応する操作画像を用いた操作が行われたときは、その操作は誤操作である可能性がある。しかし、図７に示すように、原稿を必要としない非対象処理に対応する即時開始の簡単操作画像１２３を非表示にすることにより、利用者がこの即時開始の簡単操作画像１２３を用いた操作を行うことが防止される。
【００４３】
また、上述したステップＳ２２の判定がＹＥＳである場合、スキャン−メモリ処理に対応する即時開始の簡単操作画像１２３を非表示にする旨を表示した後に、ステップＳ２４の処理が行われてもよい。例えばメニュー画面１２０には、スキャン−メモリ処理に対応する即時開始の簡単操作画像１２３を非表示にすることを示すメッセージが表示されてもよい。これは、何の通知もなく、スキャン−メモリ処理に対応する即時開始の簡単操作画像１２３が突然非表示になると、特に利用者がこの即時開始の簡単操作画像１２３を使用したいと思っていた場合には、利用者が混乱する恐れがあるためである。
【００４４】
なお、第２実施形態では、本発明に係る表示装置、非対象画像として、それぞれ画像処理装置１１０、スキャン−メモリ処理に対応する即時開始の簡単操作画像１２３が用いられている。
【００４５】
以上説明した第２実施形態によれば、利用者による処理の準備の状況と無関係の非対象処理の実行を指示する操作に用いられる即時開始の簡単操作画像１２３を押下できないように即時開始の簡単操作画像１２３の表示が制御されるため、利用者が誤ってこの即時開始の簡単操作画像１２３を用いた操作を行うのが防止される。また、非対象処理に対応する即時開始の簡単操作画像１２３を非表示にする旨を表示した後に、非表示を行った場合には、利用者に非表示になる即時開始の簡単操作画像１２３が認識される。
【００４６】
３．変形例
上述した第１実施形態及び第２実施形態は、本発明の一例である。本発明は、上述した第１実施形態及び第２実施形態に限定されない。例えば上述した第１実施形態及び第２実施形態を以下のように変形してもよい。また、以下の２つ以上の変形例を組み合わせて実施してもよい。
【００４７】
３．１．変形例１
上述した第１実施形態及び第２実施形態において、対象処理に対応する即時開始の簡単操作画像１２３を用いた操作が行われるまでの利用者の操作の状況に応じて、この対象処理が行われるまでの手順を変えてもよい。この場合、画像処理装置１１０は、図８に示されるように、図３に示す機能に加えて、操作検知部１３３と、処理制御部１３４とを有する。操作検知部１３３は、対象処理に対応する即時開始の簡単操作画像１２３を用いた操作が行われるまでの利用者の操作の状況を検知する。この操作の状況は、例えば利用者が意図して即時開始の簡単操作画像１２３を用いた操作を行ったかを判断し得るような状況である。この操作の状況は、例えば準備検知部１３１が処理の準備を検知してからこの操作が行われるまでの経過時間であってもよいし、準備検知部１３１が処理の準備を検知してからこの操作が行われるまでの間に、表示部１１５の画面を移動する操作、例えば画面をスクロールする操作が行われた回数であってもよい。処理制御部１３４は、操作検知部１３３が検知した操作の状況によって、対象処理に対応する即時開始の簡単操作画像１２３を用いた操作に応じてこの対象処理が実行されるまでの手順を異ならせる。例えば経過時間又は画面を移動する操作の回数が定められた条件を満たす場合には、この手順を異ならせてもよい。この条件は、もはや利用者が即時開始の簡単操作画像１２３を意図して押下とはみなせないことを示す条件である。別の観点で述べれば、この条件は、利用者が選択すべき即時開始の簡単操作画像１２３を迷って選択したとみなせる条件であってもよい。例えばこの条件は、経過時間が予め定められた時間以上であるという条件であってもよいし、操作の回数が予め定められた回数以上であるという条件であってもよい。経過時間又は操作の回数以外を用いた例として、この条件は、進む又は戻るというページ遷移が短時間に複数回行われたという条件であってもよい。手順を異ならせる方法としては、例えば処理が実行されるまでに利用者に要求される操作を異ならせるという方法であってもよい。例えば対象処理に対応する即時開始の簡単操作画像１２３が押下されると、上述した実施形態で説明した非即時開始の簡単操作画像１２２が押下された場合と同様に、確認画面が表示され、この確認画面において処理の開始を指示する操作が行われてから対象処理が開始させるようにしてもよい。なお、操作の状況によって異ならせる対象は、対象処理が実行されるまでの手順に限定されない。手順を異ならせる以外の方法として、例えば特徴的な設定値を表示させるなど表示形態を異ならせるという方法もある。
【００４８】
図９は、この変形例に係る画像処理装置１１０の動作の一例を示すフローチャートである。この動作は、上述したステップＳ１１又はＳ２１のように原稿が検知された後、利用者が原稿を必要とする対象処理に対応する即時開始の簡単操作画像１２３を押下したことを契機として開始される。利用者が対象処理に対応する即時開始の簡単操作画像１２３を押下すると（ステップＳ３１の判定がＹＥＳ）、無効部１３２は、原稿が検知されてからこの即時開始の簡単操作画像１２３が押下されるまでに経過した時間が予め定められた時間以上であるか否かを判定する（ステップＳ３２）。この時間が予め定められた時間未満である場合には（ステップＳ３２の判定がＮＯ）、処理部１１９は、上述したステップＳ１６と同様に、利用者の更なる操作を待たずに、設定された条件で処理を実行する（ステップＳ３３）。一方、この時間が予め定められた時間以上である場合には（ステップＳ３２の判定がＹＥＳ）、処理部１１９は、上述したステップＳ１４と同様に、処理の開始を指示する操作を受け付けた後、設定された条件で処理を実行する（ステップＳ３４）。これは、対象処理に対応する即時開始の簡単操作画像１２３が押下された場合であっても、例えば利用者が原稿を設置してからこの即時開始の簡単操作画像１２３を押下するまでに時間がかかっているときは、即時開始の簡単操作画像１２３を迷って選択したため、処理が実行される前に利用者が処理の内容を確認したかったり、利用者が迷った結果、試しに即時開始の簡単操作画像１２３を押下したもののこの操作が誤操作であったりするためである。なお、この変形例では、本発明に係る対象画像として、対象処理に対応する即時開始の簡単操作画像１２３が用いられている。この変形例によれば、対象処理に対応する即時開始の簡単操作画像１２３を用いた操作であっても、利用者が迷って行った操作である可能性がある場合には、通常とは異なる手順で対象処理が実行される。
【００４９】
３．２．変形例２
上述した第１実施形態及び第２実施形態において、利用者が表示部１１５の画面を移動する操作をしている間は、即時開始の簡単操作画像１２３を用いた操作が無効にされてもよい。利用者が画面を移動する操作は、例えば画面をスクロールする操作である。この操作は、例えば操作部１１４に含まれるタッチパネルにより検出されてもよい。無効部１３２は、利用者の操作により画面が移動されている間、全ての即時開始の簡単操作画像１２３を用いた操作を無効にする。このとき、操作が無効にされる即時開始の簡単操作画像１２３には、対象処理に対応する即時開始の簡単操作画像１２３と、非対象処理に対応する即時開始の簡単操作画像１２３との両方が含まれる。この変形例によれば、利用者が画面を移動する操作を行っている間に、誤って即時開始の簡単操作画像１２３を用いた操作を行った場合にも、その即時開始の簡単操作画像１２３に対応する処理が実行されるのが防止される。
【００５０】
３．３．変形例３
上述した第１実施形態及び第２実施形態において、対象処理、非対象処理は、それぞれ、原稿を必要とする処理、原稿を必要としない処理に限定されない。例えば準備検知部１３１が外付けのフラッシュメモリを検知した場合、この検知結果に対応する対象処理はスキャン−メモリ処理及びメモリ−プリント処理であり、非対象処理はスキャン−メモリ処理及びメモリ−プリント処理以外の処理であってもよい。他の例において、準備検知部１３１が金銭の投入を検知した場合、この検知結果に対応する対象処理は課金される処理であり、非対象処理は課金されない処理であってもよい。他の例において、準備検知部１３１がユーザ認証に用いられる情報の入力又はこの情報を記録した記録媒体の読み取りを検知した場合、この検知結果に対応する対象処理はユーザ認証が必要な処理であり、非対象処理はユーザ認証が不要な処理であってもよい。他の例において、準備検知部１３１がプリント指示の入力を検知した場合、この検知結果に対応する対象処理はプリント処理であり、非対象処理はプリント処理以外の処理であってもよい。他の例において、ファクシミリの送信に失敗した場合、ファクシミリを再送するために、ファクシミリデータが記憶部１１２に格納される場合がある。準備検知部１３１がこのファクシミリデータの格納を検知した場合、この検知結果に対応する対象処理はファクシミリの再送処理であり、非対象処理はファクシミリの再送処理以外の処理であってもよい。他の例において、準備検知部１３１が利用者による画像処理装置１１０の部品への接触を検知した場合、この検知結果に対応する対象処理はこの部品を用いた処理であり、非対象処理はこの部品を用いない処理であってもよい。例えば部品が用紙等の記録媒体を供給する給紙部である場合、対象処理はコピー処理及びプリント処理であり、非対象処理はコピー処理及びプリント処理以外の処理であってもよい。他の例において、準備検知部１３１が利用者による画像処理装置１１０の部品への操作を検知した場合、この検知結果に対応する対象処理はこの部品を用いた処理であり、非対象処理はこの部品を用いない処理であってもよい。例えば部品がフィニッシャーである場合、フィニッシャーを開く操作が検知されたときは、対象処理はフィニッシャーを用いた処理であり、非対象処理はフィニッシャーを用いない処理であってもよい。
【００５１】
また、準備検知部１３１が利用者の準備を検知しなかった場合には、この利用者の準備を検知した場合と反対に、この利用者の準備を検知したときの対象処理が非対象処理になり、この利用者の準備を検知したときの非対象処理が対象処理になってもよい。例えば準備検知部１３１が原稿を検知していない場合、この検知結果に対応する対象処理はプリント処理であり、非対象処理はコピー処理、スキャン処理、及びファクシミリ処理であってもよい。さらに、対象処理及び非対象処理は、複数の検知結果に応じて決められてもよい。例えば、準備検知部１３１が原稿とフラッシュメモリとを併せて検知した場合、この検知結果に対応する対象処理はスキャン−メモリ処理であり、非対象処理はスキャン−メモリ処理以外の処理であってもよい。
【００５２】
３．４．変形例４
上述した第１実施形態において、非対象処理に対応する即時開始の簡単操作画像１２３を用いた操作が行われた場合に、その操作を無効にするのに代えて、非対象処理が行われるまでの手順が変更されてもよい。例えば、非対象処理に対応する即時開始の簡単操作画像１２３が押下されると、非即時開始の簡単操作画像１２２が押下された場合と同様に、確認画面が表示され、この確認画面において処理の開始を指示する操作が行われてから非対象処理が開始されてもよい。
【００５３】
３．５．変形例５
上述した実施形態において、本発明に係る表示装置は、画像処理装置１１０に限定されない。この表示装置は、操作画像を表示する装置であれば、如何なる装置であってもよい。例えば表示装置は、画像処理装置１１０が有する機能を単体で実現するプリンター、スキャナ、コピー機、ファクシミリであってもよいし、パーソナルコンピュータ、タブレット端末、スマートフォンであってもよい。
【００５４】
画像処理装置１１０において行われる処理のステップは、上述した実施形態で説明した例に限定されない。この処理のステップは、矛盾のない限り、入れ替えられてもよい。また、本発明は、画像処理装置１１０において行われる処理のステップを備える方法として提供されてもよい。
【００５５】
本発明は、画像処理装置１１０において実行されるプログラムとして提供されてもよい。このプログラムは、インターネットなどの通信回線を介してダウンロードされてもよいし、磁気記録媒体（磁気テープ、磁気ディスクなど）、光記録媒体（光ディスクなど）、光磁気記録媒体、半導体メモリなどの、コンピュータが読取可能な記録媒体に記録した状態で提供されてもよい。
【符号の説明】
【００５６】
１１０：画像処理装置、１１１：制御部、１１２：記憶部、１１３：通信部、１１４：操作部、１１５：表示部、１１６：画像読取部、１１７：画像処理部、１１８：画像形成部、１１９：処理部、１３１：準備検知部、１３２：無効部、１３３：操作検知部、１３４：処理制御部
【図１】
2020047100.tif 000003
【図２】
2020047100.tif 000004
【図３】
2020047100.tif 000005
【図４】
2020047100.tif 000006
【図５】
2020047100.tif 000007
【図６】
2020047100.tif 000008
【図７】
2020047100.tif 000009
【図８】
2020047100.tif 000010
【図９】
2020047100.tif 000011